(57)【要約】【課題】アスペクト比の違いによって映像の上下や左右に生じる差分領域が無画部である場合に限らず，その差分領域に静止画が付加されている場合にも，その差分領域の輝度を低下させて消費電力を省減することのできる映像表示装置を提供すること。【解決手段】液晶表示パネル１５の映像表示領域ａ１のうち予め定められた部分領域ｒ１，ｒ２の表示映像が静止画であるか否かを判定し，該部分領域ｒ１，ｒ２の表示映像が静止画であると判定された場合に，該部分領域ｒ１，ｒ２の輝度を低下させる。【選択図】図４
2010276683.tif 000002
【特許請求の範囲】
【請求項１】
映像を表示する映像表示手段を備えてなる映像表示装置であって，
前記映像表示手段の映像表示領域のうち予め定められた部分領域の表示映像が静止画であるか否かを判定する静止画判定手段と，
前記静止画判定手段により前記部分領域の表示映像が静止画であると判定された場合に該部分領域の輝度を低下させる輝度制限手段と，
を備えてなることを特徴とする映像表示装置。
【請求項２】
前記映像表示手段が，液晶表示パネルと該液晶表示パネルの背面側から予め定められた単位領域ごとに照明を行う複数の光源とを有してなり，
前記輝度制限手段が，前記部分領域に対応する一又は複数の前記単位領域を照明する前記光源の発光強度を低下させることにより該部分領域の輝度を低下させるものである請求項１に記載の映像表示装置。
【請求項３】
前記静止画判定手段が，前記映像表示手段で表示する映像信号に重畳して入力されるメタデータに基づいて，前記部分領域の表示映像が静止画であるか否かを判定するものである請求項１又は２のいずれかに記載の映像表示装置。
【請求項４】
前記静止画判定手段が，前記部分領域における平均輝度の変化及び動きベクトルのいずれか一方又は両方に基づいて，前記部分領域の表示映像が静止画であるか否かを判定するものである請求項１又は２のいずれかに記載の映像表示装置。
【請求項５】
前記映像表示手段の映像表示領域がアスペクト比１６：９のサイズであって，
前記部分領域が，前記映像表示手段にアスペクト比４：３の映像を表示する場合に該映像の左右に生じる第一の差分領域，及び前記映像表示手段にレターボックス表示で映像を表示する場合に該映像の上下に生じる第二の差分領域のいずれか一方又は両方を含んでなる請求項１〜４のいずれかに記載の映像表示装置。
【請求項６】
前記映像表示手段の映像表示領域のうち前記部分領域を除く要部領域の表示映像が静止画であるか否かを判定する要部静止画判定手段を更に備えてなり，
前記輝度制限手段が，前記静止画判定手段により前記部分領域の表示映像が静止画であると判定された場合であって，且つ前記要部静止画判定手段によって前記要部領域の表示映像が静止画ではないと判定された場合に，前記部分領域の輝度を低下させるものである請求項１〜５のいずれかに記載の映像表示装置。
【発明の詳細な説明】
【技術分野】
【０００１】
本発明は，映像を表示する映像表示手段を備える映像表示装置に関し，特に，必要に応じて映像表示手段の映像表示領域の一部の輝度を制限することにより省電力化を図る映像表示装置に関するものである。
【背景技術】
【０００２】
昨今，液晶テレビジョン受像機に代表される液晶表示装置（映像表示装置の一例）は，画面サイズの大型化に伴い消費電力も増加する傾向にある。液晶表示装置は，高い稼働率で使用される場合が多いため，画面サイズが大きくても電力消費を極力低減できることが望まれている。特に，液晶表示装置では，その消費電力全体に占めるバックライトの消費電力の比率が高く，バックライトの調光制御が液晶表示装置の消費電力に大きく影響する。
例えば，特許文献１には，映像のアスペクト比とは異なるアスペクト比でその映像を表示させるときに，そのアスペクト比の違いによって生じる映像の上下や左右の差分領域の無画部（黒表示部）を検出し，その無画部に対応する領域のバックライトの光源を消灯させる技術が示されている。これにより，その無画部に対応するバックライトの光源による無駄な電力消費が防止される。
【先行技術文献】
【特許文献】
【０００３】
【特許文献１】特開２００４−１８４９３７号公報
【発明の概要】
【発明が解決しようとする課題】
【０００４】
ところで，近年では，映像のアスペクト比とは異なるアスペクト比でその映像を表示させるときにそのアスペクト比の違いによって生じる映像の上下や左右の差分領域，即ち従来は無画部（黒表示部）であった領域に，特定の色や模様などの静止画を付加することにより，見かけ上の映像サイズを合わせる技術が知られている。このような技術は，例えばアスペクト比が４：３で構成されている古い年代のテレビ番組の映像を，近年主流となりつつあるアスペクト比１６：９の映像として再放送する場合などに利用される。
但し，無画部に代えて特定の色や模様などの静止画が付加される場合，前記特許文献１に係る技術では，無画部が検出されなくなるため，その静止画に対応する領域のバックライトの光源を消灯させることができず，省電力化を図ることができないこととなる。しかし，その無画部に代えて付加される静止画は，ユーザにとって重要な意味を持たないものであるため高い視認性が求められるものではなく，その静止画の表示領域に対応するバックライトの光源の発光は無駄な電力消費となる。
従って，本発明は上記事情に鑑みてなされたものであり，その目的とするところは，アスペクト比の違いによって映像の上下や左右に生じる差分領域が無画部である場合に限らず，その差分領域に静止画が付加されている場合にも，その差分領域の輝度を低下させて消費電力を省減することのできる映像表示装置を提供することにある。
【課題を解決するための手段】
【０００５】
上記目的を達成するために本発明は，映像を表示する映像表示手段を備えてなる映像表示装置に適用されるものであって，前記映像表示手段の映像表示領域のうち予め定められた部分領域の表示映像が静止画であるか否かを判定する静止画判定手段と，前記静止画判定手段により前記部分領域の表示映像が静止画であると判定された場合に該部分領域の輝度を低下させる輝度制限手段とを備えてなることを特徴とする映像表示装置として構成される。
例えば，前記映像表示手段の映像表示領域がアスペクト比１６：９のサイズである場合には，前記部分領域が，前記映像表示手段にアスペクト比４：３の映像を表示する場合に該映像の左右に生じる第一の差分領域，及び前記映像表示手段にレターボックス表示で映像を表示する場合に該映像の上下に生じる第二の差分領域のいずれか一方又は両方を含んでなることが考えられる。
本発明によれば，アスペクト比の違いによって映像の上下や左右に生じる差分領域として予め設定された前記部分領域が無画部である場合に限らず，前記部分領域に静止画が付加されている場合にも，該部分領域の輝度を低下させて消費電力を省減することができる。
【０００６】
具体的に，本発明は，前記映像表示手段が，液晶表示パネルと該液晶表示パネルの背面側から予め定められた単位領域ごとに照明を行う複数の光源とを有する液晶表示装置に適用し得る。この場合，前記輝度制限手段は，前記部分領域に対応する一又は複数の前記単位領域を照明する前記光源の発光強度を低下させることにより該部分領域の輝度を低下させる。
ところで，前記静止画判定手段が，前記部分領域の表示映像が静止画であるか否かを判定する手法は各種考えられるが，例えば，前記映像表示手段で表示する映像信号に重畳して入力されるメタデータに基づいて，前記部分領域の表示映像が静止画であるか否かを判定するものであることが一例として挙げられる。また，前記部分領域における平均輝度の変化及び動きベクトルのいずれか一方又は両方に基づいて，前記部分領域の表示映像が静止画であるか否かを判定することも考えられる。
【０００７】
さらに，当該映像表示装置の用途として，前記映像表示手段の映像表示領域の全体に静止画を表示させることも考えられるが，この場合には前記部分領域の輝度を低下させることは望ましくない。
そこで，前記映像表示手段の映像表示領域のうち前記部分領域を除く要部領域の表示映像が静止画であるか否かを判定する要部静止画判定手段を更に設けておき，前記輝度制限手段が，前記静止画判定手段により前記部分領域の表示映像が静止画であると判定された場合であって，且つ前記要部静止画判定手段によって前記要部領域の表示映像が静止画ではないと判定された場合に，前記部分領域の輝度を低下させるものであることが考えられる。これにより，前記映像表示領域の全体に静止画を表示させるような場合には，前記輝度制限手段による前記部分領域の輝度の低下が行われず，その静止画全体について高い視認性を確保することができる。
【発明の効果】
【０００８】
本発明によれば，アスペクト比の違いによって映像の上下や左右に生じる差分領域として予め設定された前記部分領域が無画部である場合に限らず，前記部分領域に静止画が付加されている場合にも，該部分領域の輝度を低下させて消費電力を省減することができる。
【図面の簡単な説明】
【０００９】
【図１】本発明に係る映像表示装置の一例であるテレビジョン受像機Ｘの概略構成を表すブロック図。
【図２】テレビジョン受像機Ｘにおける部分領域の設定例を示す模式図。
【図３】テレビジョン受像機Ｘにおける輝度制限処理の手順の一例を表すフローチャート。
【図４】テレビジョン受像機Ｘにおける液晶表示パネルに表示される映像の一例を表す模式図。
【図５】テレビジョン受像機Ｘにおける輝度制限処理の実行結果の一例を説明するための模式図。
【図６】テレビジョン受像機Ｘにおける輝度制限処理の他の例を表すフローチャート。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１及び図２を参照しつつ，本発明に係る映像表示装置の一例であるテレビジョン受像機Ｘの構成について説明する。なお，本発明は，テレビジョン受像機に限らず，パソコンに用いられるディスプレイ装置などの映像表示装置にも適用可能である。
図１に示すように，テレビジョン受像機Ｘは，複数のチューナ１，外部信号入力部２，復調・分離回路３，映像復号回路１１，映像選択・合成回路１２，映像処理回路１３，液晶ドライバ１４，液晶表示パネル１５（映像表示手段の一例），調光回路１６，バックライト１７，音声復号回路２１，音声選択回路２２，音声処理回路２３，アンプ２４，スピーカ２５，制御回路４，計時回路５，リモコン受光部６，及びリモコン７等を備えている。
本実施の形態に係る前記テレビジョン受像機Ｘの特徴は，前記制御回路４によって後述の輝度制限処理（図３参照）が実行されることにより，前記液晶表示パネル１５の映像表示領域のうち予め定められた部分領域の表示映像が静止画である場合に，該部分領域の輝度が低く調節される点にある。
【００１１】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びにメタデータ（コンテンツ情報）などを分離して抽出する。さらに，前記復調・分離回路３は，前記制御回路４から受けたＰＩＤ（Packet IDentification）に応じて，視聴対象となる放送番組の映像信号及び音声信号を抽出し，各信号を前記映像復号回路１１及び前記音声復号回路２１それぞれに伝送する。
【００１２】
また，前記復調・分離回路３は，ＴＳ信号から，ＳＩ（Service Information）やモザイク記述子などのメタデータを抽出して前記制御回路４に伝送する。ここに，ＳＩは，ＥＰＧ（電子番組ガイド）の情報（例えば，番組名，番組のジャンル，放送時間等を示す情報）などが重畳されたデータである。また，モザイク記述子とは，複数の要素セルの集合によって構成されるデジタル映像コンポーネントについて，その要素セルごとに割り当てられた映像やその映像種別（動画，静止画，グラフィックス又は文字など）などを関連付けるものである。
前記制御回路４は，前記メタデータのモザイク記述子を参照することにより，前記液晶表示パネル１５に表示する映像の内容が，動画，静止画，グラフィックス／文字，動画に静止画を付加した静止画付加動画などのいずれに対応するものであるかを判断し得る。ここに，前記静止画付加動画とは，例えばアスペクト比（横縦比，以下同様）４：３の動画をアスペクト比１６：９のサイズで表示するときに該動画の左右に生じる差分領域に所定の静止画（所定の色や模様などの画像）を付加することにより，そのアスペクト比４：３の映像を見かけ上アスペクト比１６：９の映像として再構成したものである。
【００１３】
また，前記映像復号回路１１は，前記復調・分離回路３から伝送される映像信号を復号し，復号した映像信号を前記映像選択・合成回路１２に伝送する。同様に，前記音声復号回路２１は，前記復調・分離回路３から伝送される音声信号を復号し，復号した音声信号を前記音声選択回路２２に伝送する。
さらに，前記外部信号入力部２は，例えばＤＶＤプレイヤーやブルーレイディスクプレイヤー，Ｗｅｂストリーミングの受信装置（インターネットモデム等）などの外部装置から映像信号及び音声信号を入力する信号入力インターフェースである。なお，前記外部信号入力部２は，前記映像信号に重畳して入力されるメタデータを抽出し，前記制御回路４に入力する。
前記映像選択・合成回路１２は，前記制御回路４からの制御指令に従って，前記映像復号回路１１を通じて入力される放送番組のコンテンツの映像信号と，前記外部信号入力部２を通じて入力される外部入力コンテンツの映像信号との中から，１つ又は複数の映像信号を選択して前記映像処理回路１３へ伝送する。
【００１４】
前記映像処理回路１３は，前記制御回路４からの制御指令に従って，コンテンツの画像を前記液晶表示パネル１５に表示させるために前記液晶ドライバ１４に供給するフレーム画像信号を生成する。
さらに，前記映像処理回路１３は，前記制御回路４からの制御指令に従って，前記フレーム画像信号に含められる各コンテンツの画像のサイズを調節する機能も有している。その際，前記制御回路４は，前記リモコン７に対する画像サイズの調節操作（例えば，拡大キーや縮小キーの押下操作）に従って，前記映像処理回路１３に対して各コンテンツの画像のサイズ調節指令を出力する。
【００１５】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
前記液晶表示パネル１５は，前記液晶ドライバ１４による制御に応じて，前記フレーム画像信号に対応する映像を表示する。
前記バックライト１７は，前記液晶表示パネル１５の背面側に配置され，その液晶表示パネル１５の表示領域の一部ずつを照明する複数の白色のＬＥＤ光源１７ａがユニット化されたものである。
【００１６】
ここに，図２は，前記液晶表示パネル１５及び前記バックライト１７の概略図である。
図２に示すように，前記液晶表示パネル１５は，アスペクト比１６：９の映像表示領域ａ１を有している。そして，前記液晶表示パネル１５の映像表示領域ａ１のうち，前記液晶表示パネル１５にアスペクト比４：３の映像を表示する場合に該映像の左右に生じる差分領域（第一の差分領域に相当）が部分領域ｒ１，ｒ２，前記部分領域ｒ１，ｒ２を除く領域が要部領域ｒ３として予め設定され，これらの領域を特定するための情報が前記制御回路４のＲＯＭ４ｂなどに記憶されている。これにより，前記制御回路４は，前記部分領域ｒ１，ｒ２と前記要部領域ｒ３とを区別し得る。
一方，前記バックライト１７は，前記液晶表示パネル１５を背面側から予め定められた単位領域ごとに照明する複数の白色のＬＥＤ光源１７ａ（光源の一例）を備えている。前記ＬＥＤ光源１７ａは，縦横に予め定められた数だけ配列され，各々が主として照明する前記液晶表示パネル１５の画像領域（単位領域に相当）が存在する。即ち，前記ＬＥＤ光源１７ａ各々とそれが主として照明する画像領域との対応関係は既知である。
前記バックライト１７については，前記部分領域ｒ１，ｒ２に対応する領域に存在するＬＥＤ光源１７ａがＬＥＤグループ１７１，１７２，前記要部領域ｒ３に対応する領域に存在するＬＥＤ光源１７ａがＬＥＤグループ１７３として予め設定され，前記制御回路４のＲＯＭ４ｂなどに記憶されている。これにより，前記制御回路４は，前記ＬＥＤグループ１７１〜１７３を区別し得る。
また，前記調光回路１６（図１参照）は，前記制御回路４からの制御指令に従って，前記ＬＥＤ光源１７ａ各々に対する供給電力を調節することにより，前記ＬＥＤ光源１７ａ各々の発光輝度を調節し，前記液晶表示パネル１５の映像の表示輝度を調節する。ここで，前記調光回路１６は，前記ＬＥＤ光源１７ａ各々の発光輝度を個別に制御し得るものであってもよいが，少なくとも前記ＬＥＤ光源１７ａ各々の発光輝度を前記ＬＥＤグループ１７１，１７２と前記ＬＥＤグループ１７３とに分けて制御し得るものであればよい。
【００１７】
一方，図１に示すように，前記音声復号回路２１は，前記復調・分離回路３から伝送されてくる音声信号を復号し，復号した音声信号を前記音声選択回路２２に伝送する。
また，前記音声選択回路２２は，前記制御回路４からの制御指令に従って，前記チューナ１により選局された放送番組のコンテンツの音声信号（前記音声復号回路２１を通じて入力される音声信号）と，前記外部信号入力部２を通じて入力される音声信号との中から１つの音声信号を選択して前記音声処理回路２３へ伝送する回路である。
そして，前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
また，前記アンプ２４は，前記音声処理回路２３による処理後の音声信号を，前記制御回路４からの指示に従って増幅或いは減衰させる処理を行い，前記スピーカ２５に出力するものである。
【００１８】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記計時回路５は，クロック発振器を備え，現在日時の計時及び前記制御回路４からの計時開始指令に応じてその時点からの経過時間の計時を行う回路である。前記計時回路５は，計時結果を前記制御回路４へ伝送する。
【００１９】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
さらに，本実施の形態に係る前記テレビジョン受像機Ｘにおいて，前記制御回路４は，前記バックライト１７による不要な電力消費を防止するべく，後述の輝度制限処理（図３のフローチャート参照）を実行する。ここに，係る輝度制限処理を実行するときの前記制御回路４が輝度制限手段に相当する。
【００２０】
以下，図３のフローチャートに従って，前記制御回路４によって実行される輝度制限処理の処理手順の一例について説明する。なお，以下に示されるＳ１，Ｓ２，…は，処理手順（ステップ）の識別符号を表す。
ここでは，図４に示すように，アスペクト比４：３の動画ｍ１の左右に，該動画ｍ１とアスペクト比１６：９の映像表示領域ａ１との差分領域のサイズに対応する静止画ｆ１，ｆ２を付加した静止画付加動画ｍ２を，前記液晶表示パネル１５に表示する場合を具体例に挙げて説明する。この場合，前記液晶表示パネル１５のうち，前記部分領域ｒ１，ｒ２に前記静止画ｆ１，ｆ２が，前記要部領域ｒ３に前記動画ｍ１がそれぞれ表示されることになる（図５参照）。なお，前記静止画付加動画ｍ２は，前記チューナ１によってテレビジョン放送信号から抽出され，或いは前記外部信号入力部２によって入力される。
当該輝度制限処理は，前記液晶表示パネル１５に映像が表示されている状態において実行される。また，一度表示が開始された映像の形態が途中で切り替わることは考えにくいことを考慮し，例えばチャンネル切換（選局）や入力切換，放送番組の切り替わりなどによって前記液晶表示パネル１５に表示する映像が切り換えられた後の所定時間だけ当該輝度制限処理を実行することにより，当該輝度制限処理による前記制御回路４の処理負担を軽減することも考えられる。
【００２１】
（ステップＳ１）
図３に示すように，まずステップＳ１において，前記制御回路４は，前記部分領域ｒ１，ｒ２の表示映像が静止画であるか否かを判定する静止画判定処理を実行する。ここに，係る処理を実行するときの前記制御回路４が静止画判定手段に相当する。
ここで，前記制御回路４は，前記チューナ１や前記外部信号入力部２からの映像信号に重畳されたメタデータに基づいて，前記液晶表示パネル１５に表示する映像が静止画付加動画であるか否かを判断することが考えられる。具体的に，前記制御回路４は，前述したメタデータのモザイク記述子に基づいて，前記液晶表示パネル１５の表示映像のうち前記部分領域ｒ１，ｒ２に対応する領域を構成する要素セルが静止画であるか否かを判断する。もちろん，前記メタデータに静止画付加動画であるか否かについての情報が含まれている場合にはその情報に基づいて判断することが可能である。
【００２２】
なお，前記ステップＳ１における静止画判定処理には，前記部分領域ｒ１，ｒ２が静止画であるか否かを判断し得るその他の手法を用いてもよい。例えば，前記制御回路４は，前記液晶表示パネル１５における前記部分領域ｒ１，ｒ２の表示映像における平均輝度（ＡＰＬ）の変化及び動きベクトルのいずれか一方又は両方に基づいて，該部分領域ｒ１，ｒ２の表示映像が静止画であるか否かを判断することが考えられる。
具体的に，前記平均輝度の変化に基づいて判断する場合，前記制御回路４は，所定時間に亘る前記部分領域ｒ１，ｒ２各々の平均輝度の変化率を算出し，その平均輝度の変化率が予め設定された閾値以下であることを条件に，該部分領域ｒ１，ｒ２各々の表示映像が静止画であると判断することが考えられる。また，動きベクトルに基づいて判断する場合には，予め設定された数のフレーム画像に亘って所定の特徴量以上の動きベクトルが検出されないことを条件に，該部分領域ｒ１，ｒ２各々の表示映像が静止画であると判断することが考えられる。さらに，これら両方の条件が充足した場合に，前記部分領域ｒ１，ｒ２各々の表示映像が静止画であると判断することも考えられる。
【００２３】
（ステップＳ２）
そして，ステップＳ２では，前記制御回路４は，前記ステップＳ１における静止画判定処理の結果，即ち前記部分領域ｒ１，ｒ２各々の表示映像が静止画であるか否かに応じて処理を分岐する。具体的に，前記部分領域ｒ１，ｒ２各々の表示映像が静止画である場合には（Ｓ２におけるＹｅｓ側），処理はステップＳ３に移行し，静止画でない場合には（Ｓ２におけるＮｏ側），処理はステップＳ２１に移行する。
ここでは，図４及び図５に示すように，前記部分領域ｒ１，ｒ２の表示映像が前記静止画ｆ１，ｆ２であるため（ステップＳ２のＹｅｓ側），処理はステップＳ３に移行することとなる。
【００２４】
（ステップＳ３〜Ｓ４）
ステップＳ３では，前記制御回路４は，後述のステップＳ４において前記部分領域ｒ１，ｒ２の表示映像が静止画である状態が予め設定された設定時間以上継続したか否かを判定するために，経過時間の計時を開始する。また，既に経過時間の計時が開始されている場合にはその計時を継続する。なお，前記経過時間の計時は，前記制御回路４の内部処理（タイマ処理）により，或いは前記計時回路５によって行われる。
そして，ステップＳ４では，前記制御回路４は，前記経過時間が前記設定時間以上に達しているか否かを判断する。ここに，前記設定時間は，前記部分領域ｒ１，ｒ２の輝度を低下させるべきであるか否かを判断する判断指標として予め設定された時間である。
ここで，前記経過時間が前記設定時間以上に達していると判断した場合には（Ｓ４のＹｅｓ側），処理はステップＳ５に移行し，前記経過時間が前記設定時間以上に達していないと判断した場合には（Ｓ４のＮｏ側），処理は前記ステップＳ１に戻される。
従って，前記部分領域ｒ１，ｒ２の表示映像が静止画であっても，その状態が前記設定時間以上に達しなければ，前記部分領域ｒ１，ｒ２の表示映像である静止画ｆ１，ｆ２の輝度は制限されず，鮮明な画像表示に好適な標準輝度に調節した状態となる（図５（ａ）参照）。これにより，偶然に前記部分領域ｒ１，ｒ２の表示映像が静止画である場合などに，該部分領域ｒ１，ｒ２の輝度の制限／解除が頻繁に繰り返されることを防止することができる。なお，標準輝度とは，前記液晶表示パネル１５の表示映像を鮮明に表示するために好適な輝度として映像に応じて適宜調節されるものである。
【００２５】
（ステップＳ５）
ステップＳ５において，前記制御回路４は，図５（ｂ）に示すように，前記部分領域ｒ１，ｒ２の輝度を前記標準輝度よりも低い輝度に調節する。なお，前記要部領域ｒ３は前記標準輝度に維持される。
具体的に，前記制御回路４は，前記調光回路１６を制御することにより，前記バックライト１７のＬＥＤ光源１７ａのうち，前記部分領域ｒ１，ｒ２に対応するＬＥＤグループ１７１，１７２に属するＬＥＤ光源１７ａの発光輝度を低下させ或いは消灯させることにより，前記部分領域ｒ１，ｒ２の輝度を低下させる。なお，当該ステップＳ５の輝度調節では，急激な輝度変化によりユーザに違和感を与えないように，前記部分領域ｒ１，ｒ２を照明する前記ＬＥＤ光源１７ａの輝度を徐々に低下させることも考えられる。
このように，前記テレビジョン受像機Ｘでは，前記部分領域ｒ１，ｒ２の表示映像が静止画であると判定された場合には（Ｓ２，Ｓ４のＹｅｓ側），該部分領域ｒ１，ｒ２に対応する前記ＬＥＤグループ１７１，１７２に属する前記ＬＥＤ光源１７ａの輝度が低い輝度に制限されるため（Ｓ５），省電力化を図ることができる。
【００２６】
なお，当該ステップＳ５において前記静止画ｆ１，ｆ２の輝度が低下されると，図５（ｂ）に示すように前記静止画ｆ１，ｆ２の視認性が低下するが，この静止画ｆ１，ｆ２は前記動画ｍ１に付加されたに過ぎない意味のない画像であるため，該静止画ｆ１，ｆ２の視認性が低下しても特に問題とならない。但し，ユーザの好みによっては，前記静止画ｆ１，ｆ２の輝度を下げたくないという要望も考えられるため，当該輝度制限処理の有効／無効は切り換え可能であることが望ましい。
また，本実施の形態では，前記液晶表示パネル１５における前記部分領域ｒ１，ｒ２の輝度を，前記バックライト１７のＬＥＤ光源１７ａの発光輝度を低下させることによって低下させているが，例えばプラズマディスプレイや有機ＥＬディスプレイなどの映像表示装置に本発明を適用する場合には，そのプラズマディスプレイにおけるガス放電のために発光素子に印加される電圧や，有機ＥＬディスプレイにおいて発光有機物に印加される電圧を低下させることにより表示映像の輝度を低下させることが考えられる。これにより同様に電力消費を省減することができる。
【００２７】
（ステップＳ２１〜Ｓ２２）
一方，前記ステップＳ２において，前記部分領域ｒ１，ｒ２が静止画ではないと判断された場合（Ｓ２のＮｏ側），前記制御回路４は，続くステップＳ２１において，前記ステップＳ３により計時される経過時間をリセットする。
そして，ステップＳ２２では，前記制御回路４は，前記部分領域ｒ１，ｒ２の輝度を標準輝度に調節する。なお，既に前記部分領域ｒ１，ｒ２の輝度が標準輝度である場合には，その状態を維持する。一方，前記部分領域ｒ１，ｒ２の輝度が，前記ステップＳ５によって下げられている場合には，その下げられた輝度は標準輝度に戻される。なお，この場合には，前記部分領域ｒ１，ｒ２の映像を，即時に鮮明な画像表示に好適な標準輝度で表示させるため，前記ＬＥＤ光源１７ａの発光輝度を瞬時に高めることが考えられる。
なお，前記ステップＳ２において前記部分領域ｒ１，ｒ２が静止画でないと判断された場合に限らず，前記液晶表示パネル１５に表示する映像の内容が切り換わるとき，例えばチャンネル切換や入力切換，テレビ番組の放送時間の切り替わりなどの各種タイミングにおいて前記部分領域ｒ１，ｒ２の輝度を一度標準輝度に戻すことも他の実施例として考えられる。
【００２８】
また，前記部分領域ｒ１，ｒ２を利用してニュースや字幕などのテロップ表示（文字表示）が行われる場合には，該部分領域ｒ１，ｒ２の輝度制限を解除することが望ましい。そこで，前記制御回路４が，前記メタデータなどに基づいてテロップ表示の有無を検出し，該テロップ表示が存在する場合に，前記部分領域ｒ１，ｒ２の輝度制限を強制的に解除することも他の実施例として考えられる。これにより，テロップ表示の高い視認性を確保することができる。
さらに，前記液晶表示パネル１５の映像表示領域ａ１を二分割や四分割などの複数の表示領域に分割し，その表示領域各々に異なる映像を表示する分割表示モードにおいては，前記制御回路４が，その表示領域ごとに予め設定された部分領域の表示映像が静止画であるか否かを判定し，その表示映像が静止画であると判定された部分領域のみの輝度を低下させることも他の実施例として考えられる。
【００２９】
ところで，本実施の形態では，アスペクト比１６：９の前記液晶表示パネル１５にアスペクト比４：３の映像を表示させる場合を例に挙げて説明したが，本発明は，前記液晶表示パネル１５にレターボックス表示で映像を表示する場合にも同様に適用し得る。
例えば，前記液晶表示パネル１５の映像表示領域がアスペクト比１６：９のサイズであって，該液晶表示パネル１５にアスペクト比が２．３５：１のシネマサイズの映像をレターボックス表示する場合や，前記液晶表示パネル１５の映像表示領域がアスペクト比４：３のサイズであって，該液晶表示パネル１５にアスペクト比１６：９の映像をレターボックス表示する場合などが考えられる。
この場合には，前記液晶表示パネル１５に映像をレターボックス表示する場合に該映像の上下に生じる差分領域（第二の差分領域）を前記部分領域ｒ１，ｒ２として設定し，前記部分領域ｒ１，ｒ２を除く領域を前記要部領域ｒ３として予め設定しておくことが考えられる。これにより，前記制御回路４によって実行される前記輝度制限処理（図３のフローチャート参照）において，前記ステップＳ１の静止画判定処理で前記部分領域ｒ１，ｒ２各々の表示映像が静止画であると判定された場合には（Ｓ２，Ｓ４のＹｅｓ側），その部分領域ｒ１，ｒ２の輝度が低下される（Ｓ５）。
さらに，前記液晶表示パネル１５にアスペクト比４：３の映像を表示する場合に該映像の左右に生じる差分領域（第一の差分領域）と，前記液晶表示パネル１５にレターボックス表示で映像を表示する場合に該映像の上下に生じる差分領域（第二の差分領域）との両方を部分領域として設定しておき，前記ステップＳ１の静止画判定処理において，その部分領域各々の表示映像が静止画であるか否かを判定し，表示映像が静止画である部分領域の輝度を低下させることも他の実施例として考えられる。これにより，前記液晶表示パネル１５の左右又は上下のいずれに静止画が存在する場合であってもその静止画の輝度を低下させて省電力化を図ることができる。
【実施例】
【００３０】
ところで，前記液晶表示パネル１５に，前記映像表示領域ａ１と同サイズであるアスペクト比１６：９の静止画（写真など）が表示される場合には，前記部分領域ｒ１，ｒ２の輝度を低下させるべきではない。
そこで，前記部分領域ｒ１，ｒ２の表示映像及び前記要部領域ｒ３の表示映像が共に静止画である場合には，前記部分領域ｒ１，ｒ２の輝度を制限しないことが考えられる。
ここに，図６は，当該処理が具現された輝度制限処理の例を示すフローチャートである。図６に示す輝度制限処理では，ステップＳ２３の処理手順が実行される点で，前述の輝度制限処理（図３のフローチャート参照）と異なる。
ステップＳ２３において，前記制御回路４は，前記要部領域ｒ３が静止画であるか否かを判定して処理を分岐する。ここに，前記要部領域ｒ３が静止画であるか否かを判定するときの前記制御回路４が要部静止画判定手段に相当する。なお，当該判定は，前記部分領域ｒ１，ｒ２の表示映像が静止画であるか否かの判定と同様の手法で行えばよいため，ここでは説明を省略する。
そして，前記要部領域ｒ３が静止画であると判定された場合には，処理が前記ステップＳ２１に移行され，静止画でないと判定された場合には，処理が前記ステップＳ３に移行される。
これにより，前記部分領域ｒ１，ｒ２各々の表示映像が静止画であると判定された場合であって，且つ前記要部領域ｒ３の表示映像が静止画ではないと判定された場合にのみ（Ｓ２，Ｓ２３，Ｓ４のＹｅｓ側），前記部分領域ｒ１，ｒ２の輝度が制限されることになり（Ｓ５），前記部分領域ｒ１，ｒ２の表示映像及び前記要部領域ｒ３の表示映像が共に静止画である場合には（Ｓ２３のＹｅｓ側），前記部分領域ｒ１，ｒ２の輝度が制限されない。従って，前記映像表示領域ａ１全体に静止画を表示する場合に，前記部分領域ｒ１，ｒ２における高い視認性を確保することが可能となる。
【符号の説明】
【００３１】
Ｘ    ：テレビジョン受像機（映像表示装置の一例）
１    ：チューナ
２    ：外部信号入力部
３    ：復調・分離回路
４    ：制御回路
５    ：計時回路
６    ：リモコン受光部
７    ：リモコン
１１  ：映像復号回路
１２  ：映像選択・合成回路
１３  ：映像処理回路
１４  ：液晶ドライバ
１５  ：液晶表示パネル（映像表示手段の一例）
１６  ：調光回路
１７  ：バックライト
１７１〜１７３…ＬＥＤグループ
１７ａ：ＬＥＤ光源
２１  ：音声復号回路
２２  ：音声選択回路
２３  ：音声処理回路
２４  ：アンプ
２５  ：スピーカ
ａ１…映像表示領域
ｆ１，ｆ２…静止画
ｒ１，ｒ２…部分領域
ｒ３…要部領域
ｍ１…動画
ｍ２…静止画付加動画
Ｓ１，Ｓ２，…：処理手順（ステップ）番号
【図１】
2010276683.tif 000003
【図２】
2010276683.tif 000004
【図３】
2010276683.tif 000005
【図４】
2010276683.tif 000006
【図５】
2010276683.tif 000007
【図６】
2010276683.tif 000008